(57)【要約】【課題】  非接触ＩＣカードで受けられる複数のサービスの中から、利用するサービスの選択が簡単に行え、操作性を向上させた非接触ＩＣカード処理装置を提供する。【解決手段】  非接触ＩＣカード１１には、利用できるサービスの種別が複数登録されている。自動改札機１は、第１の通信部３の通信エリアに非接触ＩＣカード１１が位置される毎に、利用者が今回利用するサービスの種別を切り換える。自動改札機１は、第２の通信部４の通信エリアに非接触ＩＣカード１１が位置されたときに、利用者が今回利用するサービスを確定する。【選択図】  図１
2006085302.tif 000002
【特許請求の範囲】
【請求項１】
第１の無線通信エリア内に位置する非接触ＩＣカードから、この非接触ＩＣカードが記憶する識別コードを含むＩＣカード情報を無線通信により取得するＩＣカード情報取得手段と、
前記ＩＣカード情報取得手段が取得したＩＣカード情報に含まれている識別コードが、前回取得したＩＣカード情報に含まれている識別コードと一致している場合、この非接触ＩＣカードに対して実行する処理種別の選択を切り替える処理種別選択切替手段と、
前記処理種別の確定にかかる入力があったとき、前記処理種別選択切替手段により選択されている処理種別を、この非接触ＩＣカードに対して実行する処理種別に確定する処理種別確定手段と、
前記ＩＣカード情報取得手段が取得したＩＣカード情報に基づいて、前記処理種別確定手段が確定した処理種別の処理を実行する処理実行手段と、を備えた非接触ＩＣカード処理装置。
【請求項２】
前記処理種別選択切替手段により選択されている処理種別を表示する表示手段を備えた請求項１に記載の非接触ＩＣカード処理装置。
【請求項３】
前記処理実行手段は、前記処理種別確定手段により非接触ＩＣカードに対して実行する処理種別が確定されなかったとき、前記ＩＣカード情報取得手段によりＩＣカード情報を取得した非接触ＩＣカードに対して初期設定されている処理種別の処理を実行する請求項１または２に記載の非接触ＩＣカード処理装置。
【請求項４】
前記処理種別確定手段は、第２の無線通信エリア内に位置する非接触ＩＣカードとの無線通信が行われたときに、この非接触ＩＣカードについて前記処理種別の確定にかかる入力があったと判定する請求項１〜３のいずれかに記載の非接触ＩＣカード処理装置。
【請求項５】
無線通信エリア内に位置する非接触ＩＣカードから、この非接触ＩＣカードが記憶する識別コードを含む乗車券情報を無線通信により取得する乗車券情報取得手段と、
前記乗車券情報取得手段が取得した乗車券情報に含まれている識別コードが、前回取得した乗車券情報に含まれている識別コードと一致している場合、この非接触ＩＣカードに対して実行する処理種別の選択を切り替える処理種別選択切替手段と、
前記処理種別の確定にかかる入力があったとき、前記処理種別選択切替手段により選択されている処理種別を、この非接触ＩＣカードに対して実行する処理種別に確定する処理種別確定手段と、
前記乗車券情報取得手段が取得した乗車券情報に基づいて、前記処理種別確定手段が確定した処理種別の処理を実行する処理実行手段と、を備えた自動改札機。
【発明の詳細な説明】
【技術分野】
【０００１】
この発明は、非接触ＩＣカードが記憶するカード情報を無線通信により取得し、このカード情報を用いて処理を実行する非接触ＩＣカード処理装置、および非接触ＩＣカードが記憶する乗車券情報を無線通信により取得し、この乗車券情報を用いて通路における利用者の通行を制限する自動改札機に関する。
【背景技術】
【０００２】
従来、ＩＣカードが記憶しているＩＣカード情報（以下、単にカード情報と言う。）を取得し、このカード情報を用いて処理を実行するＩＣカード処理装置が実用化されている。特に最近では、無線通信機能を有する非接触ＩＣカードからカード情報を無線通信により取得し、処理を実行する装置の開発が進められている。例えば、非接触ＩＣカードが記憶している乗車券情報を無線通信により取得し、利用者の駅への入場や駅からの退場を制限する自動改札機がすでに実用化されている。非接触ＩＣカードには、定期券にかかる情報（定期券情報）やプリペイド金額にかかる情報（プリペイド情報）等の乗車券情報が記憶されている。自動改札機は、無線通信により非接触ＩＣカードから取得した乗車券情報に基づいて利用者の通行可否を判定し、この判定結果に応じて扉を開閉することで、利用者の駅への入場や駅からの出場を制限する。また、非接触ＩＣカードに記憶されているカード情報に基づいてクレジット取引を処理する取引処理装置（ＣＡＴ）や、入出金処理を行う現金自動預け払い機（ＡＴＭ）等の実用化も進められている。
【０００３】
また、利用者の利便性の面から、複数の用途で使用できる非接触ＩＣカードの開発も進められている。例えば、法人利用または個人利用のいずれかで鉄道を利用できる非接触のＩＣカードや、プリペイド支払またはポストペイ支払のいずれかで鉄道の利用にかかる運賃の支払が行える非接触ＩＣカード等が考えられている。複数の用途で使用できるＩＣカードを処理する装置としては、例えば特許文献１に示されているように、ＩＣカードを受け付けたときに、そのＩＣカードが使用できる用途（処理種別）の一覧表示を行い、実行する用途を利用者に選択させる構成であった。
【特許文献１】特公平６−３６１５号公報
【発明の開示】
【発明が解決しようとする課題】
【０００４】
しかしながら、特許文献１に示されている構成では、利用者はカード情報を装置に読み取らせるための操作（カードを装置に投入する操作や、カードを無線通信エリアに位置させる操作）、および一覧表示された用途から実行する用途を選択する操作を行わなければならず、操作性がよくないという問題があった。また、駅等に設置されている自動改札機では、非接触ＩＣカードに記憶されているカード情報を装置に読み取らせ、自動改札機において表示された用途の一覧表示から実行する用途を利用者に選択させる従来の構成では、利用者が実行する用途を選択するために通路に立ち止まることになる。その結果、通路が混雑し、集改札効率を低下させるという問題があった。
【０００５】
この発明の目的は、非接触ＩＣカードで実行する処理種別の選択が簡単に行え、利用者の操作性を向上させた非接触ＩＣカード処理装置を提供することにある。
【０００６】
また、この発明は、利用者が通路に立ち止まることなく、非接触ＩＣカードで実行する処理種別の選択が簡単に行え、利用者の操作性および集改札効率の低下を抑えた自動改札機を提供することを目的とする。
【課題を解決するための手段】
【０００７】
この発明のカード処理装置は、上記課題を解決するために以下の構成を備えている。
【０００８】
（１）第１の無線通信エリア内に位置する非接触ＩＣカードから、この非接触ＩＣカードが記憶する識別コードを含むＩＣカード情報を無線通信により取得するＩＣカード情報取得手段と、
前記ＩＣカード情報取得手段が取得したＩＣカード情報に含まれている識別コードが、前回取得したＩＣカード情報に含まれている識別コードと一致している場合、この非接触ＩＣカードに対して実行する処理種別の選択を切り替える処理種別選択切替手段と、
前記処理種別の確定にかかる入力があったとき、前記処理種別選択切替手段により選択されている処理種別を、この非接触ＩＣカードに対して実行する処理種別に確定する処理種別確定手段と、
前記ＩＣカード情報取得手段が取得したＩＣカード情報に基づいて、前記処理種別確定手段が確定した処理種別の処理を実行する処理実行手段と、を備えている。
【０００９】
この構成では、ＩＣカード情報取得手段が第１の無線通信エリア内に位置する非接触ＩＣカードから識別コードを含むＩＣカード情報を無線通信により取得する。処理種別選択切替手段が、今回取得したＩＣカード情報に含まれている識別コードと、前回取得したＩＣカード情報に含まれている識別コードとが一致していると、この非接触ＩＣカードに対して実行する処理種別の選択を切り替える。処理種別確定手段が、処理種別の確定にかかる入力があると、その時点において選択されている処理種別を実行する処理種別に確定する。処理実行手段が、確定した処理種別の処理を実行する。
【００１０】
このように、非接触ＩＣカードをＩＣカード情報取得手段の第１の無線通信エリア内に位置させ、その後この無線通信エリア外に位置させるという簡単な操作を繰り返すことで、この非接触ＩＣカードで実行する処理の処理種別の選択が行える、ＩＣカード取得手段における非接触ＩＣカードとの第１の無線通信エリアは、一般に装置側に設けられているアンテナから数ｃｍの範囲である。したがって、利用者は手に持っている非接触ＩＣカードを、アンテナ付近で動かすという簡単な操作で、提供されるサービスの種別を選択することができ、利用者の操作性を向上させることができる。また、このような簡単な操作で実行する処理種別の選択が行えることから、自動改札機に適用した場合であっても、利用者が通路に立ち止まることがなく、集改札効率の低下も十分に抑えられる。
【００１１】
（２）前記処理種別選択切替手段により選択されている処理種別を表示する表示手段を備えている。
【００１２】
この構成では、表示手段に選択されているサービスの種別が表示されるので、利用者は選択されているサービスの種別を確認して、実行する処理の処理種別を確定することができ、処理種別の選択ミスの発生を抑えることができる。
【００１３】
（３）前記処理実行手段は、前記処理種別確定手段により非接触ＩＣカードに対して実行する処理種別が確定されなかったとき、前記ＩＣカード情報取得手段によりＩＣカード情報を取得した非接触ＩＣカードに対して初期設定されている処理種別の処理を実行する。
【００１４】
この構成では、実行する処理の処理種別が確定されなかったときには、ＩＣカードに対して初期設定されている処理種別の処理を実行するので、実行する処理の処理種別の確定にかかる入力操作が行われなかった場合でも、非接触ＩＣカードに対する処理が効率的に行える。
【００１５】
（４）前記処理種別確定手段は、第２の無線通信エリア内に位置する非接触ＩＣカードとの無線通信が行われたときに、この非接触ＩＣカードについて前記処理種別の確定にかかる入力があったと判定する。
【００１６】
この構成では、処理種別の確定にかかる入力も、非接触ＩＣカードを第２の無線通信エリア内に位置させるという簡単な操作で行える。
【発明の効果】
【００１７】
この発明の非接触ＩＣカード処理装置によれば、利用者は手に持っている非接触ＩＣカードを、アンテナ付近で動かすという簡単な操作で、提供されるサービスの種別を選択することができ、利用者の操作性を向上させることができる。また、このような簡単な操作で実行する処理種別の選択が行えることから、自動改札機に適用した場合であっても、利用者が通路に立ち止まることがなく、集改札効率の低下も十分に抑えられる。
【発明を実施するための最良の形態】
【００１８】
以下、この発明の実施形態である自動改札機について説明する。
【００１９】
図１は、この発明の実施形態である自動改札機の外観を示す図であり、図２はこの実施形態の自動改札機の構成を示すブロック図である。図１では、２台の自動改札機１（１ａ、１ｂ）を対向させて配置し、この２台の自動改札機１の間に形成した通路における利用者の通行方向を双方向とした場合を例示している。自動改札機１は、本体の動作を制御する制御部２と、通路を通行する利用者が所持している乗車券情報を含むカード情報を記憶した非接触ＩＣカードと無線通信を行う第１の無線通信３および第２の無線通信部４と、通路を通行する利用者に対する案内表示行う第１の表示部５および第２の表示部６と、通路における利用者の通行を制限する扉７ａ、７ｂを開閉する扉開閉部７と、通路における利用者の通行を検知する通行検知部８と、本体に投入された磁気券を処理する磁気券処理部９と、を備えている。第１の無線通信部３は、通路の入口側の上面にアンテナ３ａが配置されており、このアンテナ３の上方数ｃｍのエリアが無線通信エリアである。この第１の無線通信部３における非接触ＩＣカードとの無線通信により、非接触ＩＣカードに対して実行する処理の処理種別の選択が行われる。また、第２の無線通信部４は、通路中央よりもやや出口側の上面にアンテナ４ａが配置されており、このアンテナ４ａの上方数ｃｍのエリアが無線通信エリアである。この第２の無線通信部４における非接触ＩＣカードとの無線通信により、非接触ＩＣカードに対して実行する処理の処理種別を確定する。
【００２０】
第１の表示部５は第１の無線通信部３のアンテナ３ａの近くに配置された表示器５ａにおける表示を制御し、第２の表示部６は通路出口近傍に配置した表示器６ａにおける表示を制御する。表示器５ａには選択されている処理の種別が表示され、表示器６ａには実行した処理の種別が表示される。扉開閉部７は、通路の両側に設けられた扉７ａ、７ｂを個別に開閉する。通路出口側の扉７ａは、利用者が所持している乗車券から読み取った乗車券情報に基づいて開閉される。通路入口側の扉７ｂは、対向配置されている自動改札機１からの指示にしたがって開閉される。通行検知部８は通路に沿って配置した複数のセンサにより、通路における利用者の移動を検知する。磁気券処理部９は、通路入口側に配置された投入口９ａから投入されたキップ、定期券等の乗車券類（磁気券）を通路出口側に配置された返却口９ｂへ搬送し、放出する。搬送路には、搬送している乗車券類に記録されている乗車券情報を読み取る読取ヘッドや、利用にかかる情報を乗車券類に記録する記録ヘッドが配置されている。
【００２１】
この実施形態の自動改札機１は、非接触ＩＣカードに対して予め定められている２つの処理から、一方を実行する処理として選択することができる。例えば、非接触ＩＣカードには、図３に示す複数のサービス分類のいずれかが登録されている。図３に示すサービス分類のパターン１は鉄道の利用毎に支払請求明細を個人利用とするか、法人利用するかを選択できるサービス分類であり、パターン２は鉄道の利用毎に支払方法をプリペイド（前払い）とするか、ポストペイ（後払い）とするかを選択できるサービス分類であり、パターン３は利用料金を非接触ＩＣカードの所有者の支払とするか、親会員の支払とするかを選択できるサービス分類である。自動改札機１は、図３に示すサービス分類と、選択できるサービスの種別（実行する処理の処理種別）と、を対応づけて、制御部２に記憶している。
【００２２】
非接触ＩＣカード１１は、図４（Ａ）に示すように、本体の動作を制御する制御部１２と、無線通信を行う無線通信部１３と、カード情報を記憶する記憶部１４と、を有している。非接触ＩＣカード１１は、図４（Ｂ）に示すカード情報を記憶部１４に記憶している。このカード情報には、カードを識別するカードＩＤ、利用者の氏名、連絡先、チャージ金額、引落し口座番号、およびサービス分類が含まれている。非接触ＩＣカード１１が記憶しているサービス分類は、利用者が購入時に選択したサービス分類のパターンである。非接触ＩＣカード１１は、自動改札機１の第１の無線通信部３、または第２の無線通信部４の通信エリア内に位置したときに、第１の無線通信部３、または第２の無線通信部４から送出されている電力搬送波から動作電源を取得し、動作する。
【００２３】
次に、この実施形態の自動改札機１の動作について説明する。図５は、この実施形態の自動改札機の動作を示すフローチャートである。自動改札機１は、投入口９ａに乗車券（磁気券）が投入されるか、第１の無線通信部３で非接触ＩＣカード１１から送信されてきたカード情報を受信するか、第２の無線通信部４で非接触ＩＣカード１１から送信されてきたカード情報を受信するのを待ちながら（ｓ１〜ｓ３）、通行検知部８において通路における利用者の通行を監視する（ｓ４）。ｓ４では、通路における利用者の位置も監視している。自動改札機１は、投入口９ａに磁気券が投入されると、この磁気券に記録されている乗車券情報を読み取る（ｓ５）。投入口９ａに投入された磁気券は、搬送路に沿って返却口９ｂ、または本体内部に設けられている回収部（不図示）へ搬送される。自動改札機１は、搬送している磁気券から乗車券情報を読み取る。自動改札機１は、ｓ５で読み取った乗車券情報を用いて、通路における利用者の通行を許可するかどうかを判定する（ｓ６）。自動改札機１は、ｓ６で通行を許可すると判定すると扉７ａを開し（ｓ７）、通路における利用者の通行を許可する。反対に、ｓ５で通行を許可しないと判定すると扉７ａを閉し（ｓ８）、通路における利用者の通行を禁止する。
【００２４】
自動改札機１は、ｓ６で通行を許可すると判定した場合、ｓ７で対向して配置されている自動改札機１に対して扉７ｂ（扉７ａに対向している側の扉）の開を指示する。また、今回投入口９ａに投入された磁気券については、利用者への返却が必要な磁気券（定期券、プリペイドカード等）であれば返却口９ｂに放出し、利用者への返却が不要な磁気券（キップ等）であれば、本体内部に設けられている回収部に搬送し回収する。反対にｓ６で利用者の通行を許可しないと判定した場合、ｓ８で対向して配置されている自動改札機１に対して扉７ｂ（扉７ａに対向している側の扉）の閉を指示する。また、今回投入された磁気券を返却口９ｂに放出する。
【００２５】
第１の無線通信部３および第２の無線通信部４は、それぞれ無線通信エリア内に位置する非接触ＩＣカード１１に対して一定時間間隔でポーリングを行っている。非接触ＩＣカード１１は、第１の無線通信部３または第２の無線通信部４の無線通信エリア内（アンテナ３ａ，４ａから数ｃｍの範囲）に位置すると、アンテナ３ａ、または４ａから送信されている電力搬送波から動作電源を取得し、自動改札機１からのポーリングに対して応答する。このとき、非接触ＩＣカード１１は、図４に示したカード情報を自動改札機１に送信する。自動改札機１は、ｓ２において第１の無線通信部３が非接触ＩＣカード１１からの応答（カード情報）を受信したと判定すると、今回受信したカード情報に含まれているカードＩＤと、前回受信したカード情報に含まれているカードＩＤと、が一致しているかどうかを判定する（ｓ９）。自動改札機１は、ｓ９でカードＩＤが一致していないと判定すると、今回受信したカード情報に含まれているサービス分類から、この非接触ＩＣカード１１で選択できる２つのサービスを判断し、今回実行するサービスを初期設定の方のサービス（図３に示す１回タッチに対応するサービス）とする仮設定を行う（ｓ１０）。また、ここで仮設定したサービスによる利用情報を作成し（ｓ１１）、非接触ＩＣカード１１に書き込む（ｓ１２）。ｓ１２における利用情報の書き込みは仮の書き込みであり、後述するように利用するサービスの確定時に確定したサービスの利用情報を非接触ＩＣカード１１に書き込む。また、第１の表示部５において、表示器５ａに仮設定したサービスを表示する（ｓ１３）。
【００２６】
また、自動改札機１は、利用者が所持している非接触ＩＣカード１１を、第１の無線通信部３の無線通信エリア外からエリア内に位置させ、その後無線通信エリア外に位置させるという簡単な操作を行うと、カードＩＤが一致していると判定し、今回利用するサービスの仮設定を、この非接触ＩＣカード１１で利用できる２つのサービスのうち、この時点で仮設定されていない側のサービスに切り換える（ｓ１４）。また、ここで切り換えたサービスによる利用情報を作成する（ｓ１５）。但し、この利用情報については、この時点で非接触ＩＣカード１１に書き込まない。さらに、自動改札機１は第１の表示部５において、表示器５ａに今回仮設定したサービスを表示する（ｓ１３）。
【００２７】
このように、利用者は所持している非接触ＩＣカード１１を、第１の無線通信部３の無線通信エリア外からエリア内に位置させ、その後無線通信エリア外に位置させるという簡単な操作で、今回利用するサービスの種別の選択が行える。したがって、サービスの種別を選択するために、利用者が通路に立ち止まるのを防止でき、集改札効率の低下を抑えることができる。また、利用者は、表示器５ａにおける表示を確認することで、その時点で仮設定されているサービスの種別、言い換えれば今回利用するサービスの種別、を確認することができ、利用者の選択ミスも抑えられる。
【００２８】
自動改札機１は、ｓ３において第２の無線通信部４が非接触ＩＣカード１１からの応答（カード情報）を受信したと判定すると、この非接触ＩＣカード１１に対してｓ１１またはｓ１５で最後に作成した利用情報を非接触ＩＣカード１１に書き込む（ｓ１６）。ｓ１６は、利用情報の本書き込みにかかる処理であり、このときｓ１２で仮に書き込んだ利用情報については削除する。また、自動改札機１は第２の表示部６が表示器６ａに確定したサービスの種別を表示する（ｓ１７）。利用者は、この表示により、今回利用したサービスの種別を確認することができる。
【００２９】
また、自動改札機１は、ｓ４で利用者の位置が第２の無線通信部４の通信エリアよりも出口側であると判定すると、今回実行するサービスが確定されているかどうかを判定する（ｓ１８）。ｓ１８では、ｓ３で第２の無線通信部４の無線通信エリアに非接触ＩＣカード１１が位置していると判定し、ｓ１６で利用情報の本書き込みにかかる処理を行っていれば確定されていると判定し、この本書き込みにかかる処理を行っていなければ確定されていないと判定する。自動改札機１は、ｓ１８で確定されていると判定すると、確定されている種別のサービスを実行する（ｓ１９）。ｓ１９では、ｓ１６で非接触ＩＣカード１１に書き込んだ利用情報をセンタ（不図示）に送信する処理等を行う（ｓ１９）。自動改札機１は、ｓ１９の処理を完了すると、ｓ６以降の処理を実行する。一方、ｓ１８で今回利用するサービスが確定されていないと判定すると、今回の利用をｓ１０で仮設定したサービス（初期設定のサービス）によるものとして処理する（ｓ２０）。ｓ２０では、ｓ１１で非接触ＩＣカード１１に仮に書き込んだ利用情報をセンタ（不図示）に送信する処理等を行う。自動改札機１は、ｓ２０の処理を完了すると、ｓ６以降の処理を実行する。したがって、利用者が第２の無線通信部４の通信エリア内に非接触ＩＣカード１１を位置させることを忘れて通路を通過しても、この非接触ＩＣカード１１に対してｓ１２で初期設定にかかるサービスの利用情報を書き込んでいるので、特に問題は生じない。
【００３０】
なお、上記説明において、その説明を省略したが、自動改札機１は非接触ＩＣカード１１から取得したカード情報を用いて、利用者の通行可否を判定し、通行不可であると判定した場合には、扉７ａを閉して通路における利用者の通行を禁止する。また、利用者が投入口９ａに乗車券（磁気券）を投入することなく、且つ第１の無線通信部３の無線通信エリアに非接触ＩＣカード１１を位置させることなく通路に進入したときにも、自動改札機１は扉７ａを閉して通路における利用者の通行を禁止する。
【００３１】
また、上記説明では非接触ＩＣカード１１で選択できるサービスは２種類であるとしたが、３種類以上のサービスが選択できるようにしてもよい。この場合には、非接触ＩＣカード１１が第１の無線通信部３の通信エリアに位置される毎に、この非接触ＩＣカード１１で選択できるサービスを順番に切り換えればよい。
【００３２】
また、上記実施形態では、第２の無線通信部４を設け、非接触ＩＣカードがこの第２の無線通信部４の通信エリアに位置されたときに、実行するサービスの種別を確定するとしたが、第２の無線通信部４に換えて、サービスの種別の確定時に押下するボタンを設け、このボタンが押下されたときに実行するサービスの種別を確定する構成としてもよい。
【００３３】
また、上記実施形態では本願発明を自動改札機１に適用した場合を例示したが、金融機関に設置されているＡＴＭや、店舗に設置されているＣＡＴ等に適用してもよい。例えばＡＴＭに適用する場合には、上記実施形態の第１の無線通信部３に相当する構成を設け、非接触ＩＣカード１１がこの第１の無線通信部３の通信エリアに位置される毎に、取引処理の種別（入金取引、出金取引、残高照会等）を切り換えるように構成すればよい。また、ＣＡＴに適用する場合には、上記実施形態の第１の無線通信部３に相当する構成を設け、非接触ＩＣカード１１がこの第１の無線通信部３の通信エリアに位置される毎に、支払の種別（一括、ボーナス一括、リボ、分割等）を切り換えるように構成すればよい。
【００３４】
さらに、非接触ＩＣカード１１を自動改札機１、ＡＴＭ、ＣＡＴ等の複数種類の装置で使用できる複合カードとしてもよい。この場合には、非接触ＩＣカード１１に、図６に示すように、利用場所毎に利用できるサービスの種類をカード情報として記憶させておけばよい。また、非接触ＩＣカード１１は、利用場所にかかわらず記憶しているカード情報を装置に送信し、装置側で受信したカード情報から必要な情報を取り出して処理するように構成すればよい。
【図面の簡単な説明】
【００３５】
【図１】この発明の実施形態である自動改札機の外観を示す図である。
【図２】この発明の実施形態である自動改札機の構成を示すブロック図である。
【図３】サービスパターンを示す図である。
【図４】非接触ＩＣカードの構成、および記憶しているカード情報を示す図である。
【図５】この実施形態の自動改札機の動作を示すフローチャートである。
【図６】複合カードとして利用できる非接触ＩＣカードに記憶させるカード情報を示す図である。
【符号の説明】
【００３６】
１−自動改札機
２−制御部
３−第１の無線通信部
４−第２の無線通信部
５−第１の表示部
６−第２の表示部
７−扉開閉部
８−通行券恥部
１１−非接触ＩＣカード
【図１】
2006085302.tif 000003
【図２】
2006085302.tif 000004
【図３】
2006085302.tif 000005
【図４】
2006085302.tif 000006
【図５】
2006085302.tif 000007
【図６】
2006085302.tif 000008